(57)【要約】【課題】周囲空気の調湿に際して除湿運転と加湿運転を切り替える際に、切替え頻度を抑制する。【解決手段】空気調和機（１００）は、空気を加湿し、加湿された空気を外部へ送出する加湿部と、空気を除湿し、除湿された空気を外部へ送出する除湿部と、除湿部および加湿部に送風する送風機と、空気調和機を制御する制御部と、を備える。制御部は、送風機により送風しながら加湿部を駆動させる加湿運転、および送風機により送風しながら除湿部を駆動させる除湿運転のうちの一方の運転を開始後に、当該一方の運転を停止する場合に、送風機による送風運転を行い、その後に加湿運転および除湿運転のうちの他方を行なうように構成される。【選択図】図２
2017058099.tif 000002
【特許請求の範囲】
【請求項１】
空気調和機であって、
空気を加湿し、加湿された空気を外部へ送出する加湿部と、
空気を除湿し、除湿された空気を前記外部へ送出する除湿部と、
前記除湿部および前記加湿部に送風する送風機と、
前記空気調和機を制御する制御部と、を備え、
前記制御部は、
前記送風機により送風しながら前記加湿部を駆動させる加湿運転、および前記送風機により送風しながら前記除湿部を駆動させる除湿運転のうちの一方の運転を開始後に、当該一方の運転を停止する場合に、前記送風機による送風運転を行い、その後に前記加湿運転および前記除湿運転のうちの他方を行なうように構成される、空気調和機。
【請求項２】
前記空気調和機の周囲の湿度を検知する湿度センサを、さらに備え、
前記制御部は、
前記一方の運転を開始する前に検知される湿度である開始時湿度が、前記周囲の湿度を調湿するための目標湿度以上であるとき、前記一方の運転として前記除湿運転を開始し、前記検知される湿度が前記目標湿度未満であるとき前記一方の運転として前記加湿運転を開始するよう構成される、請求項１に記載の空気調和機。
【請求項３】
前記制御部は、
予め定められた時間、前記送風機による送風運転を行い、当該予め定められた時間において前記湿度センサにより検知される湿度を前記開始時湿度と決定するように構成される、請求項２に記載の空気調和機。
【請求項４】
前記制御部は、
前記一方の運転が停止後に前記送風機による送風運転が開始される場合に、当該送風運転中に、前記湿度センサによる検知湿度と前記目標湿度との差が第１閾値以上となった場合は、当該送風運転を停止し、前記他方の運転を開始するよう構成される、請求項２または３に記載の空気調和機。
【請求項５】
前記制御部は、
前記一方の運転が停止後に前記送風機による送風運転が開始されてから予め定められた時間が経過した場合に、前記湿度センサにより検知される検知湿度と前記目標湿度との差が第２閾値の範囲内であるときは、当該送風運転を停止し、前記他方の運転を開始するよう構成される、請求項２から４のいずれか１項に記載の空気調和機。
【請求項６】
前記空気調和機の周囲の明るさを検知する明るさセンサを、さらに備え、
前記制御部は、検知される前記明るさと前記周囲湿度とに基づき、前記目標湿度を決定するように構成される、請求項２から５のいずれか１項に記載の空気調和機。
【請求項７】
前記制御部は、検知される前記明るさ、前記周囲湿度、および前記空気調和機の周囲温度に基づき、前記目標湿度を決定するように構成される、請求項２から５のいずれか１項に記載の空気調和機。
【発明の詳細な説明】
【技術分野】
【０００１】
本発明は空気調和機に関し、特に、除湿および加湿の機能を備える空気調和機に関する。
【背景技術】
【０００２】
従来、除湿機能と加湿機能の両方の機能を有した機器として、特許文献１（特開２００９−２８１７２５号公報）または特許文献２（特開２００９−６８８０３号公報）に示されるような装置が挙げられる。
【０００３】
特許文献１は、所定の条件下で加湿運転した後、除湿運転に切り換える動作を複数回繰り返すクリーン運転モードを有する調湿装置を開示する。特許文献２は、湿度調和と空気清浄を行い、空気清浄度センサーが空気清浄部分の送風量増加が必要な汚れ度を検知した時、湿度差を無視して送風機の回転数を増加させる。
【先行技術文献】
【特許文献】
【０００４】
【特許文献１】特開２００９−２８１７２５号公報
【特許文献２】特開２００９−６８８０３号公報
【発明の概要】
【発明が解決しようとする課題】
【０００５】
除湿運転と加湿運転を相互に切り替える条件を特定の温度または湿度にする場合、使用環境の条件によっては、除湿運転または加湿運転を短期間の間に断続的に繰り返す可能性がある。圧縮機を用いた除湿運転である場合には、除湿運転が繰り返されるとき、圧縮機の動作音に伴う騒音発生の頻度も高くなる可能性がある。
【０００６】
本発明の目的は、周囲空気の調湿に際して除湿運転と加湿運転を切り替える際に、切替え頻度を抑制することができる空気調和機を提供することである。
【課題を解決するための手段】
【０００７】
本開示のある局面に従う空気調和機は、空気を加湿し、加湿された空気を外部へ送出する加湿部と、空気を除湿し、除湿された空気を外部へ送出する除湿部と、除湿部および加湿部に送風する送風機と、空気調和機を制御する制御部と、を備える。
【０００８】
制御部は、送風機により送風しながら加湿部を駆動させる加湿運転、および送風機により送風しながら除湿部を駆動させる除湿運転のうちの一方の運転を開始後に、当該一方の運転を停止する場合に、送風機による送風運転を行い、その後に加湿運転および除湿運転のうちの他方を行なうように構成される。
【０００９】
好ましくは、空気調和機は、空気調和機の周囲の湿度を検知する湿度センサを、さらに備え、制御部は、一方の運転を開始する前に検知される湿度である開始時湿度が、周囲の湿度を調湿するための目標湿度以上であるとき、一方の運転として除湿運転を開始し、検知される湿度が目標湿度未満であるとき一方の運転として加湿運転を開始するよう構成される。
【００１０】
好ましくは、制御部は、予め定められた時間、送風機による送風運転を行い、当該予め定められた時間において湿度センサにより検知される湿度を開始時湿度と決定するように構成される。
【００１１】
好ましくは、制御部は、一方の運転が停止後に送風機による送風運転が開始される場合に、当該送風運転中に、湿度センサによる検知湿度と目標湿度との差が第１閾値以上となった場合は、当該送風運転を停止し、他方の運転を開始するよう構成される。
【００１２】
好ましくは、制御部は、一方の運転が停止後に送風機による送風運転が開始されてから予め定められた時間が経過した場合に、湿度センサにより検知される検知湿度と目標湿度との差が第２閾値の範囲内であるときは、当該送風運転を停止し、他方の運転を開始するよう構成される。
【００１３】
好ましくは、空気調和機は、空気調和機の周囲の明るさを検知する明るさセンサを、さらに備え、制御部は、検知される明るさと周囲湿度とに基づき、目標湿度を決定するように構成される。
【００１４】
好ましくは、制御部は、検知される明るさ、周囲湿度、および空気調和機の周囲温度に基づき、目標湿度を決定するように構成される。
【発明の効果】
【００１５】
本開示によれば、周囲空気の調湿に際して除湿運転と加湿運転を切り替える際に、切替え頻度が抑制される。
【図面の簡単な説明】
【００１６】
【図１】本実施の形態１に係る空気調和機１００の外観図である。
【図２】図１の空気調和機１００の内部構成を概略的に示す図である。
【図３】本発明の実施の形態に係る操作部１８の外観を示す図である。
【図４】本発明の実施の形態に係る表示部１９の外観を示す図である。
【図５】本発明の実施の形態に係るコントローラ３０と周辺部の構成を模式的に示す図である。
【図６】本発明の実施の形態に係る「おまかせ自動運転」における処理フローチャートである。
【図７】本実施の形態に係るテーブルの一例を示す図である。
【図８】実施の形態１に係る「おまかせ自動運転」中に検知される湿度の変化を模式的に示す図である。
【図９】実施の形態３に係る「おまかせ自動運転」における処理フローチャートである。
【図１０】実施の形態３に係るテーブルの一例を示す図である。
【図１１】実施の形態４に係る特定のモードにおける処理フローチャートである。
【図１２】実施の形態４に係るテーブルの一例を示す図である。
【図１３】実施の形態４に係るテーブルの一例を示す図である。
【発明を実施するための形態】
【００１７】
以下、図面を参照しながら、本発明の実施の形態の空気調和機を説明する。なお、以下参照される図面において同一の符号が付されている部位は、同一の機能を果たすものであるため、特に必要がない限り、その説明は繰り返さない。
【００１８】
［実施の形態１］
図１は、本実施の形態１に係る空気調和機１００の外観図である。図２は、図１の空気調和機１００の内部構成を概略的に示す図である。
【００１９】
空気調和機１００は、図１および図２に示されるように、筐体を備えている。筐体は、前面パネル１１Ａと背面パネル１１Ｂを含む。筐体の前面パネル１１Ａには吹出口１２Ｂと各種センサからなるセンサ部４２が設けられ、筐体の上面には吹出口１２Ａと吹出ルーバ１２Ｃが設けられる。吹出ルーバ１２Ｃは、吹出口１２Ａからの風向きを調整するために、その傾きが変更可能なように筐体に取付けられている。また、前面パネル１１Ａには、ＬＥＤ（Ｌｉｇｈｔ  Ｅｍｉｔｔｉｎｇ  Ｄｉｏｄｅ）を含む表示部１９が設けられ、筐体の上面には、スイッチ，ボタンなどを含む操作部１８が設けられる。操作部１８は、空気調和機１００に対するユーザの操作を受付ける。
【００２０】
筐体の側面には、給水タンク１０を着脱自在に装着するための装着部と、除湿タンク１３を着脱自在に装着するための装着部とが設けられる。給水タンク１０は、加湿のための水を収容する。また、除湿タンク１３は、除湿により得られた空気中の水分を収容する。ユーザは、給水タンク１０を装着することにより、加湿運転のための水を空気調和機１００に供給することができる。また、ユーザは、除湿タンク１３を取外し、タンク内の水を棄て、その後、除湿タンク１３を装着する。
【００２１】
また、図２に示されるように、筐体内には、内部で気流を生成する両翼ファン８Ｃを有した送風装置８が設けられている。両翼ファン８Ｃは、ダクト（図示せず）に対して気流を流すことができる。また、ダクト内には複数のダンパ（図示せす）が設けられており、ダンパの開閉動作によって、ダクト内を気流が進行するか否かが決定されるとともに、吹出口１２Ａ，１２Ｂから気流が吹き出されるか否かが決定される。吹出口１２Ａ，１２Ｂへの気流の流路に関連して、高圧放電により周囲の空気をイオン化するイオン発生部３８が設けられている。イオン発生部３８は、空気清浄部の一実施例に相当する。
【００２２】
また、図２に示されるように、筐体の背面パネル１１Ｂの中央部には、外部の空気を内部に取り込むための吸込口１１Ｃが設けられている。吸込口１１Ｃの近傍には空気清浄フィルタ４が設けられている。空気清浄フィルタ４は、吸込口１１Ｃを通過する空気から埃などの異物を除去する。また、筐体内には、吸込口１１Ｃから取り込まれた空気を加湿するための加湿部と、吸込口１１Ｃから取り込まれた空気を除湿するための除湿部とが設けられる。
【００２３】
加湿部は、加湿フィルタを有した加湿ロータ５を含む。加湿部は、さらに、加湿ロータ５に関連して、高温空気を生成するためのヒータ（図示せず）、給水タンク１０から送られる水を収容する加湿トレイ３、および抗菌剤２を含む。加湿ロータ５は不織布である加湿フィルタで円板状に形成されている。加湿ロータ５は、その一部が加湿トレイ３の水に浸されて、加湿フィルタに浸み込んだ水を蒸発させながら回転する。蒸発のためにヒータによる発熱が用いられて、発熱温度が高温になるほど蒸発が促進される構成としてもよい。このように、両翼ファン８Ｃの回転により、吸込口１１Ｃから取り込まれた空気は、加湿ロータ５を通過する際に、蒸発による高温高湿の空気を含んだ気流となって、加湿部側吸込み口８Ｂを介して上記のダクトに取り込まれて、吹出口１２Ａ，１２Ｂから外部に吹き出される。
【００２４】
除湿部は、熱交換器９、および冷媒を圧縮する圧縮機（図示せず）を有する。熱交換器９は、凝縮器９Ａと蒸発器９Ｂを含む。両翼ファン８Ｃの回転により、吸込口１１Ｃから取り込まれた空気は、熱交換器９を通過する。このとき、空気と熱交換器９との間で熱交換が行なわれる。熱交換により空気から除かれた水分は結露水受け７を介して、除湿タンクに１３に貯留される。また、熱交換器９を通過した空気は、熱交換器側吸込み口８Ａを経て両翼ファン８Ｃに到達した後、両翼ファン８Ｃにより上記のダクトに取り込まれて、吹出口１２Ａ，１２Ｂから外部に吹出される。
【００２５】
また、イオン発生部３８は、吹出口１２Ａ，１２Ｂへのダクトに関連して設けられている。イオン発生部３８により生成されるイオンは、両翼ファン８Ｃの送風気流にのって、ダクトを介して吹出口１２Ａ，１２Ｂから外部に吹き出される。
【００２６】
また、筐体内には、各部を駆動するための駆動装置６およびコントローラ３０が設けられている。コントローラ３０は、駆動装置６に電気的に接続されている。また、コントローラ３０は、操作部１８が受付けたユーザの操作内容に従う制御信号を生成し、生成された制御信号により駆動装置６を介して、各部の動作を独立に制御する。
【００２７】
（送風の方向）
本実施の形態の空気調和機１００は、上面の吹出口１２Ａと前面の吹出口１２Ｂおよび背面の吸込口１１Ｃとの間でショートサーキットが生じてしまうことなく、天井面、床面および壁面に沿って空気流（風）を吹き出すことができる。
【００２８】
また、本実施の形態の空気調和機１００は、上面の吹出口１２Ａから吹き出された空気は部屋の天井面に沿って流れるようルーバを後ろ斜め２０度の傾きに固定する。前面の吹出口１２Ｂから吹き出された空気が床面および部屋の壁面に沿って流れ、その結果、室内空間全体が包み込まれるような気流が生成される。したがって、加湿時または除湿時には、室内空間の湿度および温度の分布を均一化することができる。
【００２９】
図３は、本発明の実施の形態に係る操作部１８の外観を示す図である。図３を参照して操作部１８は、「おまかせ自動運転」を選択するために操作されるおまかせ自動ボタン１８Ａ、運転の入／切を操作するための運転ボタン１８Ｂ、加湿または除湿の単独運転を指示するためのボタン１８Ｃ、運転を切換えるためのボタン１８Ｄ、風量を切換えるためのボタン１８Ｅ、吹出ルーバ１２Ｃのスイング角度を切換えるためのボタン１８Ｆ、タイマ機能を設定するためのボタン１８Ｇ、および空気調和機１００の内部を乾燥するために操作されるボタン１８Ｈを含む。
【００３０】
また、操作部１８には、上記の各種ボタンの操作に連動して点灯/消灯するランプが設けられる。具体的には、おまかせ自動ボタン１８Ａに関連して、当該ボタンが操作されて「おまかせ自動運転」の動作が起動しているか否かをランプの点滅によって報知するためのランプ１８ａ、運転ボタン１８Ｂに関連して、運転ボタン１８Ｂの操作に応じた運転状態をランプの点灯によって報知するためのランプ１８ｂを含む。さらに、上記に述べたボタン１８Ｃ、１８Ｄ、１８Ｅ、１８Ｆ、１８Ｇおよび１８Ｈのそれぞれに関連して、対応のボタンの操作により設定された運転状態および情報などを報知するために点灯するランプ１８ｃ、１８ｄ、１８ｅ、１８ｆ、１８ｇおよび１８ｈを含む。ランプ１８ａ〜１８ｈのそれぞれは、対応のボタンの近傍において設けられる例えばＬＥＤ（Light  Emitting  Diode)により構成される。
【００３１】
図４は、本発明の実施の形態に係る表示部１９の外観を示す図である。表示部１９は、測定された現在の湿度を表示するためのエリア１９Ａ、イオン発生部３８によりイオンが放出中である旨の情報を表示するためのエリア１９Ｂ、加湿運転中であることの情報を表示するためのエリア１９Ｃ、および除湿運転中であることの情報を表示するためのエリア１９Ｄ、ならびに周囲空気の清浄度を表示色の変更等により示すためのエリア１９Ｅを含む。エリア１９Ａ〜１９Ｅのそれぞれにおける情報の表示は、ＬＥＤの点灯/消灯によって実現される。
【００３２】
図５は、本発明の実施の形態に係るコントローラ３０と周辺部の構成を模式的に示す図である。コントローラ３０は、空気調和機１００を制御するための制御部の一実施例である。コントローラ３０は、ＣＰＵ（Central  Processing  Unit）３１、時間を計測するためのタイマ３２、揮発性および不揮発性の記憶デバイスからなるメモリ３３、および外部の各部と入出力するための入出力Ｉ／Ｆ（Interfaceの略）３１Ａおよび外部Ｉ／Ｆ３１Ｂを含む。
【００３３】
コントローラ３０は、入出力Ｉ／Ｆ３１Ａを介して操作部１８と出力部１７を接続する。出力部１７は、表示部１９と音声出力部（図示せず）を含む。また、コントローラ３０は、外部Ｉ／Ｆ３１Ｂを介して、加湿ロータ５を駆動およびヒータを駆動するための加湿駆動部３４、両翼ファン８Ｃを駆動するためのファン駆動部３５、除湿部の圧縮機を駆動するための除湿駆動部３６、吹出ルーバ１２Ｃの開閉および傾き角度を調整するためのルーバ駆動部３７を接続する。加湿駆動部３４は、加湿ロータ５を回転させるためのモータおよびヒータへの電流供給部を含んで構成される。
【００３４】
加湿駆動部３４は、加湿ロータ５を回転させるためのモータおよびヒータへの電流供給部を含んで構成される。ＣＰＵ３１は、制御信号を用いてモータを制御することにより、加湿ロータ５の回転方向および回転速度（回転数）を制御する。また、ＣＰＵ３１は、電流供給部を制御することにより、ヒータへの供給電流量を変化させて、ヒータによる発熱の温度を調整する。ファン駆動部３５は、両翼ファン８Ｃを回転させるためのモータを含む。ＣＰＵ３１は、制御信号により当該モータを制御することにより、両翼ファン８Ｃの回転速度（回転数）および回転方向を変化させて、送風量を調整する。
【００３５】
除湿駆動部３６は、熱交換のための冷媒の送出量を制御するための圧縮機のモータを含む。ＣＰＵ３１は、制御信号により当該モータの回転運動または往復運動を制御すると、冷媒の送出量を変化させて、除湿量を調整する。ルーバ駆動部３７は、吹出ルーバ１２Ｃを駆動するためのステッピングモータを含む。ＣＰＵ３１は、制御信号によりステッピングモータの回転方向と回転量を制御することにより、吹出ルーバ１２Ｃの開度および傾き角度を変化させて、吹出される送風量と送風方向を調整する。上記に述べた駆動装置６は、加湿駆動部３４、ファン駆動部３５、除湿駆動部３６およびルーバ駆動部３７を含む。
【００３６】
コントローラ３０のＣＰＵ３１は、外部Ｉ／Ｆ３１Ｂを介して、さらにイオン発生部３８を接続する。ＣＰＵ３１は、イオン発生部３８を制御し、空気清浄のための所定種類のイオンを発生させる。またＣＰＵ３１には、外部Ｉ／Ｆ３１Ｂを介して、空気調和機１００の周囲の湿度を検知するための湿度センサ４１、周囲温度を検知するための温度センサ４０、周囲の明るさを検知するための照度センサ２０、および周囲空気の汚れの度合を検知するための臭いセンサ３９を含む。これらセンサは、センサ部４２を構成する。照度センサ２０は、「明るさセンサ」の一実施例である。臭いセンサ３９は、周囲空気の汚れ度を検知するための「清浄度センサ」の一実施例である。なお、周囲の空気の汚れを検知するために、臭いセンサ３９に代えて埃センサを用いてもよく、または臭いセンサ３９とともに埃センサを用いてもよい。
【００３７】
（おまかせ自動運転）
本実施の形態１における「おまかせ自動運転」においては、ＣＰＵ３１は、送風装置８により吹き出し口から送風しながら加湿ロータ５を駆動させる加湿運転、および送風装置８により送風しながら熱交換器９を駆動させる除湿運転のうちの一方の運転を開始後に、当該一方の運転を停止する場合に、送風装置８による送風運転を行い、その後に加湿運転および除湿運転のうちの他方の運転を実施する。このように、除湿運転と加湿運転とを切替えるときに送風運転が実施されることで、周囲空気をかき混ぜて除湿または加湿後の周囲空気の温度と湿度のバラつきをなくし均一化することが可能となる。なお、「おまかせ自動運転」では、吹出ルーバ１２Ｃは後ろ斜め２０度に傾きを固定し、送風する。
【００３８】
図６は、本発明の実施の形態に係る「おまかせ自動運転」における処理フローチャートである。図７は、本実施の形態に係るテーブルの一例を示す図である。図６のフローチャートに従うプログラムは予めメモリ３３に格納されて、ＣＰＵ３１がメモリ３３からプログラムを読出すことにより、処理が実現される。また、図７のテーブルは、空気調和機１００のメモリ３３に予め格納される。
【００３９】
「おまかせ自動運転」では、除湿運転、加湿運転および送風運転が実施される。加湿運転では、ＣＰＵ３１は加湿駆動部３４およびファン駆動部３５を制御することにより加湿された空気を吹き出し口から送出する。具体的には、ＣＰＵ３１は湿度センサ４１による検知湿度と目標湿度との差に基づき、検知湿度が目標湿度となるように比例制御により、加湿駆動部３４を介して加湿ロータ５およびヒータを制御する。除湿運転では、ＣＰＵ３１は、熱交換器９（より特定的には圧縮機）と送風装置８を駆動することにより除湿された空気を吹き出し口から送出する。具体的には、ＣＰＵ３１は湿度センサ４１による検知湿度と目標湿度との差に基づき、検知湿度が目標湿度となるような比例制御により、除湿駆動部３６を介して圧縮機の回転運動/往復運動の回数を制御する。
【００４０】
送風運転では、ＣＰＵ３１は、イオン発生部３８と送風装置８とを駆動する。これによりイオンを発生させながら、イオンを含んだ空気が吹き出し口から外部に送風（送出）される。なお、本実施の形態の送風運転では、イオン発生部３８を駆動して空気清浄のためのイオンを含んだ空気を送出するようにしたが、これに限定されず、イオン発生部３８は駆動せずに送風装置８のみを駆動して送風（イオンを含まない空気の送出）のみが実施されるとしてもよい。
【００４１】
ユーザが、おまかせ自動ボタン１８Ａを操作すると、ＣＰＵ３１は操作部１８から受付けた操作内容に従い、図６の「おまかせ自動運転」を開始する。
【００４２】
図６を参照して、まず、ＣＰＵ３１はタイマ３２の出力に基づき、予め定められた時間、例えば３０秒間は送風装置８による送風運転を実施する（ステップＳ３）。この３０秒間の送風運転により周囲空気がかき混ぜられることで、周囲空気の温度および湿度は偏りなく均一化された状態となる。また、ＣＰＵ３１は、この３０秒間において、温度センサ４０の出力に基づき周囲温度を検知するとともに、湿度センサ４１の出力に基づき周囲の湿度を検知する。
【００４３】
上記の３０秒間が経過すると、ＣＰＵ３１は、検知された温度と湿度に基づき、照度センサ２０により検知される明るさに従い、加湿運転および除湿運転のいずれを実施するかが判断されるとともに、目標湿度が決定される（ステップＳ５）。
【００４４】
具体的には、ＣＰＵ３１は、照度センサ２０からの電流信号のレベル（電流値）と閾値とを比較し、比較の結果に基づき周囲が明るいか、または暗いかを判断する。ＣＰＵ３１は、当該判断結果と、検知された温度および湿度とに基づき、図７のテーブルを検索し、検索の結果に基づき、加湿運転および除湿運転のいずれかを選択し、また、周囲空気を調湿するための目標とするべき湿度である目標湿度を決定する。例えば、周囲が「明るい」と判断された場合に、検知温度が２４℃以上であり、検知湿度が５５％以上であるときは、「除湿運転」が選択されて目標湿度は５５％以上に設定される（図７の矢印Ａ参照）。
【００４５】
また、例えば、周囲が「暗い」と判断された場合に、検知温度が２４℃以上であり、検知湿度が６０％未満であるときは、「加湿運転」が選択されて目標湿度は６０％未満に設定される（図７の矢印Ｂ参照）。
【００４６】
ステップＳ５の判断に基づき、加湿運転が選択されたとする（ステップＳ５で“加湿”）。ＣＰＵ３１は、加湿運転を開始するとともに、後述の送風運転を実施する時間の経過を計測するための時間カウンタをリセットする（ステップＳ７）。リセットにより、時間カウンタには、予め定められた時間が設定される。ここでは、説明のために、時間カウンタには３時間がセットされるとする。なお、セットされる時間は３時間に限定されない。
【００４７】
ＣＰＵ３１は、加湿運転時には湿度センサ４１による検知湿度と目標湿度とを比較し、比較結果に基づき、検知湿度が目標湿度以上に達したか否かを判断する（ステップＳ９）。目標湿度に達していない場合（ステップＳ９でＮＯ）、ステップＳ７の処理に戻り、時間カウンタがリセットされる。
【００４８】
一方、目標湿度以上に達したと判断された場合（ステップＳ９でＹＥＳ）、ＣＰＵ３１は加湿駆動部３４を介して加湿ロータ５およびヒータを停止することにより加湿運転を停止するとともに、時間カウンタの値（３時間）をタイマ３２に同期してデクリメントすることにより経過時間の計時を開始する（ステップＳ１１）。以降、経過時間が計測されながら送風運転が実施される。送風運転の期間では、ＣＰＵ３１はファン駆動部３５を介して両翼ファン８Ｃを回転させる。
【００４９】
送風運転では、ＣＰＵ３１は、湿度センサ４１による検知湿度が目標湿度に近い湿度を維持しているか否かを判断する（ステップＳ１３〜Ｓ１７）。本実施の形態では、“目標湿度に近い湿度”とは、（目標湿度×１０１％〜目標湿度×１０４％）の範囲に該当する湿度を示す。
【００５０】
具体的には、ＣＰＵ３１は湿度センサ４１の検知湿度と目標湿度とを比較し、この比較の結果に基づき、検知湿度が目標湿度以上であるが（ステップＳ１３でＮＯ）、第１閾値（目標湿度×１０５％）以上ではないと判断すると（ステップＳ１５でＮＯ）、すなわち検知湿度は“目標湿度に近い湿度”であると判断されると、送風運転開始から３時間以内であるとき（ステップＳ１７でＮＯ）、ステップＳ１３に戻り、以降の処理が繰返されながら送風運転が継続する。
【００５１】
一方、ＣＰＵ３１は湿度センサ４１の検知湿度と目標湿度との比較結果に基づき、検知湿度が目標湿度より低いと判断されたときは（ステップＳ１３でＹＥＳ）、処理はステップＳ７に戻り、送風運転は停止し加湿運転が再度開始される。また、検知湿度が（目標湿度×１０５％）より高いと判断されると（ステップＳ１５でＹＥＳ）、ステップＳ２１に移行して、ＣＰＵ３１は、送風運転を停止し除湿運転を開始する（ステップＳ２１）。このとき、時間カウンタがリセットされる。このように送風運転開始から３時間以内であっても、湿度センサ４１の検知湿度が“目標湿度に近い湿度”を維持できず湿度が低下する傾向にあるときは、送風運転を停止し、再度、加湿運転が実施される。逆に、検知湿度が“目標湿度に近い湿度”を維持できず湿度が上昇する傾向にあるときは、送風運転を停止し、除湿運転が開始される。
【００５２】
このように、送風運転をしながら、すなわち湿度が均一化するように周囲空気をかき混ぜながら湿度が検知されるので、検知湿度が“目標湿度に近い湿度”を維持しているか否かの正確な判断が可能となる。
【００５３】
また、送風運転が、検知湿度が“目標湿度に近い湿度”を維持しながら３時間実施されたときは（ステップＳ１７でＮＯ）、ＣＰＵ３１は、湿度センサ４１の検知湿度と目標湿度とを比較し、比較結果に基づき、検知湿度が第２閾値である（目標湿度×１０１％〜目標湿度×１０４％）と比較し、比較の結果に基づき、この範囲に該当するか否かを判断する（ステップＳ１９）。検知湿度は当該範囲の湿度ではないと判断されると（ステップＳ１９でＮＯ）、送風運転は停止し、ステップＳ５に戻り、以降の処理が繰返される。一方、検知湿度は当該範囲の湿度であると判断されると（ステップＳ１９でＹＥＳ）、送風運転は停止し除湿運転が開始される（ステップＳ２１）。
【００５４】
「おまかせ自動運転」の除湿運転は、上記のステップＳ５において除湿運転が選択された場合（ステップＳ５で“除湿”）、または上記の送風運転において検知湿度が“目標湿度に近い湿度”を維持できずに上昇傾向にあるとき（ステップＳ１５でＹＥＳ）、または送風運転後に検知された湿度が（目標湿度×１０１％〜目標湿度×１０４％）の範囲に該当しないときに（ステップＳ１９でＮＯ）開始される。
【００５５】
除湿運転（ステップＳ２１〜ステップＳ３３）では、上記に述べた加湿運転と同様に、時間タイマをリセットしながら検知湿度がステップＳ５で決定された目標湿度以下となるまで除湿運転が実施される（ステップＳ２１、ステップＳ２３でＮＯ）。検知湿度が目標湿度以下になったと判断されたとき（ステップＳ２３でＹＥＳ）、送風運転（ステップＳ２５〜ステップＳ３３）が同様に実施される。この送風運転は、上記に述べた運転（ステップＳ１１〜ステップＳ１９）と同様の処理であるから、簡単に説明する。
【００５６】
つまり、除湿運転後（ステップＳ２３でＹＥＳ）の送風運転では、検知湿度が“目標湿度に近い湿度”を維持しながら３時間実施されたときは（ステップＳ３１でＮＯ）、ＣＰＵ３１は、湿度センサ４１の検知湿度と目標湿度とを比較し、比較結果に基づき、検知湿度が第２閾値である（目標湿度×１０１％〜目標湿度×１０４％）と比較し、第２閾値の範囲に該当するか否かを判断する（ステップＳ３３）。検知湿度は当該範囲の湿度ではないと判断されると（ステップＳ３３でＮＯ）、送風運転は停止し、ステップＳ５に戻り、以降の処理が繰返されるが、検知湿度は当該範囲の湿度であると判断されると（ステップＳ３３でＹＥＳ）、送風運転は停止し加湿運転が開始される（ステップＳ７）。
【００５７】
このように「おまかせ自動運転」においては、加湿運転は、上記のステップＳ５において加湿運転が選択された場合（ステップＳ５で“加湿”）、または上記の送風運転（ステップＳ２５〜ステップＳ３３）において検知湿度が第１閾値（目標湿度×１０５％）以上となり“目標湿度に近い湿度”に維持できないとき（ステップＳ２９でＹＥＳ）、または送風運転後に検知された湿度が（目標湿度×１０１％〜目標湿度×１０４％）の範囲に該当しないときに（ステップＳ３３でＮＯ）開始される。
【００５８】
なお、図６の「おまかせ自動運転」中は、ユーザがおまかせ自動ボタン１８Ａを再度操作したとき、または運転ボタン１８ＢをＯＦＦ操作（ＯＮ→ＯＦＦ）したとき、ＣＰＵ３１は、強制的に運転（図６の処理）を終了する。
【００５９】
（運転の具体例）
図８は、実施の形態１に係る「おまかせ自動運転」中に検知される湿度の変化を模式的に示す図である。図８（Ａ）を参照して、運転開始の条件Ａ（明るさが「明るい」、温度２０℃および湿度４５％）である場合、目標湿度は図７に従えば６０％と決定されて、加湿運転が選択される。図６の処理に従えば、加湿運転が開始されて湿度センサ４１の検知湿度が目標湿度に達すると、加湿運転は停止し送風運転が実施され、その後、検知湿度が“目標湿度に近い湿度”を維持できず低下した場合には、送風運転は停止し加湿運転が開始されて、検知湿度が“目標湿度に近い湿度”を維持するように運転が継続する。
【００６０】
図８（Ｂ）を参照して、運転開始の条件Ｂ（明るさが「明るい」、温度２４℃および湿度７０％）である場合、目標湿度は図７に従えば５５％と決定されて、除湿運転が選択される。図６の処理に従えば、除湿運転が開始されて湿度センサ４１の検知湿度が目標湿度に達すると、加湿運転は停止し送風運転が実施され、その後、検知湿度が“目標湿度に近い湿度”を維持できず上昇した場合には、送風運転は停止し除湿運転が再度開始される。図８（Ｂ）では、除湿運転と送風運転が交互に繰返されて、周囲湿度は“目標湿度に近い湿度”に維持される。
【００６１】
図８（Ｃ）を参照して、運転開始の条件Ｃ（明るさが「明るい」、温度２５℃および湿度５０％）である場合、目標湿度は図７に従えば５５％と決定されて、加湿運転が選択される。図６の処理に従えば、加湿運転が開始されて湿度センサ４１の検知湿度が目標湿度に達すると、加湿運転は停止し送風運転が実施され、その後、検知湿度が“目標湿度に近い湿度”を維持できず上昇した場合には、送風運転は停止し除湿運転が再度開始される。当該除湿運転により検知湿度が“目標湿度に近い湿度”を維持できた場合には、加湿運転は停止し再度、送風運転が開始される。当該送風運転中に周囲湿度が低下し、検知湿度が“目標湿度に近い湿度”を維持できないときは、送風運転は停止し、再度加湿運転が実施される。図８（Ｃ）では、運転切替え時に送風運転の期間を介在させながら、加湿運転→除湿運転→加湿運転の切替えが実施されている。
【００６２】
本実施の形態では、図７のテーブルによれば、除湿運転については、周囲の明るさが暗いとき（例えば、就寝時）は、結露防止を目的に、明るいとき（日中）よりも低い目標湿度が設定される。
【００６３】
本実施の形態によれば、除湿運転および加湿運転の一方の運転から他方の運転に切替える時に、送風運転が実施されることで周囲空気をかき混ぜて調湿させ、周囲の湿度のバラつきを抑制することができる。したがって、周囲湿度を目標湿度に速やかに達成させることが可能となり、除湿/加湿の運転の切替え頻度が軽減され、給水タンク１０への給水の頻度と、除湿タンク１３の水棄ての頻度を低くできて、使い勝手のよい空気調和機１００を得ることができる。
【００６４】
［実施の形態２］
実施の形態２では、上記に述べた実施の形態１の変形例を示す。上記の「おまかせ自動運転」では、ＣＰＵ３１は、運転開始後から予め定めた時間（単位：分）は、除湿運転の開始を禁止する、または、除湿運転を終了後（ステップＳ２３でＹＥＳ）から予め定めた時間（単位：分）は、再度の除湿運転の開始を禁止する、ように構成されてもよい。
【００６５】
また、上記の「おまかせ自動運転」では、目標湿度は、図６のステップＳ５で決定された後は更新されないとしているが、これに限定されず、更新されるとしてもよい。例えば、目標湿度は、空気調和機１００の電源部（図示しない）から各部へ電力が供給されることに応じて動作を開始する電源クロック（図示しない）のクロック周期に同期して、図７のテーブルを検索し、検索結果に基づき目標湿度をテーブルから読出して、読出された値により目標湿度を更新する、としてもよい。
【００６６】
また、除湿運転においては、除湿運転開始後の予め定めた時間（例えば、３分間）は、圧縮機が十分な回転速度にまで立ち上がるまでは、ＣＰＵ３１は送風運転のみを実施するとしてもよい。なお、実施の形態１では除湿のための熱交換器９による冷凍サイクルを用いたが、除湿ロータと顕熱交換ロータにより除湿と熱交換を実施する構造を有した、いわゆるデシカント方式による除湿であってもよい。
【００６７】
本実施の形態１では、図７のテーブルに基づき目標湿度を決定している。図７のテーブルによれば、照度センサ２０により検知される明るさが第１明るさレベル（図７の“明るい”）を示すときは、送風運転による送風風量（両翼ファン８Ｃの回転数、吹出ルーバ１２Ｃの傾き角度等）を第１の値に決定し、検知される明るさが第１の明るさよりも暗い第２の明るさレベル（図７の“暗い”）を示すときは、送風風量を第１の値とは異なる第２の値に決定するように構成される。なお、望ましくは、第２の値は、第１の値の送風風量よりも風量を少なくするような値を示す。
【００６８】
また、上記の「おまかせ自動運転」では、ＣＰＵ３１は、臭いセンサ３９の検知レベルと予め定められた閾値とを比較し、その比較結果から汚れ度を判断し、判断された汚れ度に基づき、送風運転による送風風量を可変に決定する、としてもよい。
【００６９】
［実施の形態３］
上記に述べた実施の形態１と２では、「おまかせ自動運転」のための目標湿度を、照度センサ２０の出力に基づく周囲の「明るさ」、周囲温度および周囲湿度に基づき決定したが、本実施の形態３では、明るさとは無関係に周囲温度と周囲湿度に基づき目標湿度を決定する。また、実施の形態３では、ＣＰＵ３１は、臭いセンサ３９の出力に基づき送風運転を制御する。
【００７０】
図９は、実施の形態３に係る「おまかせ自動運転」における処理フローチャートである。図１０は、実施の形態３に係るテーブルの一例を示す図である。図９のフローチャートに従うプログラムは予めメモリ３３に格納されて、ＣＰＵ３１がメモリ３３からプログラムを読出すことにより、処理が実現される。また、図１０のテーブルは、空気調和機１００のメモリ３３に予め格納される。
【００７１】
図９を参照して、まず、ＣＰＵ３１は、操作部１８から受付けた操作内容に基づき、操作内容は「おまかせ自動運転」の開始を指示しているか否かを判断する（ステップＴ３）。他の運転の開始が指示されていると判断すると（ステップＴ３でＮＯ）、処理はステップＴ５に移行する。
【００７２】
一方、操作内容は「おまかせ自動運転」の開始を指示していると判断すると（ステップＴ３でＹＥＳ）、ＣＰＵ３１は湿度センサ４１による検知湿度および温度センサ４０による検知温度を入力し、入力した温度および湿度に基づくメモリ３３のテーブル（図１０参照）を検索し、検索の結果に基づき目標湿度と開始するべき運転（加湿運転または除湿運転）の種類とを決定する（ステップＴ７）。この決定方法については後述する。
【００７３】
決定に従い加湿運転が開始されると、ＣＰＵ３１は、湿度センサ４１の検知湿度が目標湿度となるように加湿運転を実施する（ステップＴ１１、ステップＴ１３）が、決定に従い除湿運転が開始されると、ＣＰＵ３１は、湿度センサ４１の検知湿度が目標湿度となるように除湿運転を実施する（ステップＴ２３、ステップＴ２５）。
【００７４】
ＣＰＵ３１は、検知温度と目標湿度とを比較し、その比較結果に基づき検知温度が目標湿度に達しないと判断する間は（ステップＴ１３でＮＯ、またはステップＴ２５でＮＯ）、加湿運転（ステップＴ１１）または除湿運転（ステップＴ２３）を継続して実施するが、検知湿度が目標湿度に達したことを判断すると（ステップＴ１３でＹＥＳ、またはステップＴ２５でＹＥＳ）、加湿運転（ステップＴ１１）または除湿運転（ステップＴ２３）を停止し、送風運転を開始する（ステップＴ１５）。送風運転においては、ＣＰＵ３１は送風装置８とともにイオン発生部３８を駆動する。したがって、イオン発生部３８により発生した空気清浄のためのイオンが空気とともに吹出口を介して周囲に送出される。
【００７５】
ＣＰＵ３１は、送風運転中は、臭いセンサ３９の検知レベルと予め定めた閾値とを比較し、比較の結果に基づき周囲空気の汚れ度（汚れているか否か）を判断する（ステップＴ１７）。汚れていると判断されたとき（ステップＴ１７でＹＥＳ）、送風運転（ステップＴ１５）が継続するが、汚れていないと判断されると（ステップＴ１７でＮＯ）、ＣＰＵ３１は、操作部１８から受付ける操作内容に基づき、「おまかせ自動運転」を解除（停止）するか否かを判断する（ステップＴ１９）。
【００７６】
ＣＰＵ３１が、「おまかせ自動運転」を解除しないと判断するとステップＴ７に戻り、以降の処理が実施される。一方、「おまかせ自動運転」を解除すると判断すると（ステップＴ１９でＹＥＳ）、ＣＰＵ３１は、その他の運転に切替えるか、または空気調和機１００の運転を停止する（ステップＴ２１）。
【００７７】
このように、ＣＰＵ３１は、「おまかせ自動運転」の送風運転を実施中は、臭いセンサ３９により検知される周囲空気の汚れ度に基づき、当該送風運転による運転時間を可変に設定する。ここでは、送風運転の時間を変更することにより送風量を変化させたが、ファン駆動部３５のファンモータの回転速度を変更することにより送風量を変化させてもよい。
【００７８】
上記の目標湿度と運転種類の決定（ステップＴ９）について図１０のテーブルを参照して説明する。ＣＰＵ３１は、ステップＴ７で検知された温度および湿度に基づき、図１０のテーブルを検索し、検索の結果に基づき、加湿運転および除湿運転のいずれかを選択し、また目標湿度を決定する。例えば、検知温度が２４℃以上であり、検知湿度が５５％未満であるときは、図１０の矢印Ａが示す「加湿運転」が選択されて目標湿度は５５％に設定される（図１０の矢印Ａ参照）。また、例えば検知温度が２０℃であり検知湿度が６０％以上であるときは、「除湿運転」が選択されて目標湿度は６０％に設定される（図１０の矢印Ｂ参照）。
【００７９】
実施の形態３によれば、「おまかせ自動運転」においては、除湿または加湿の運転により周囲温度が目標温度に達したときは、周囲空気の汚れ度に基づき送風量を可変とする送風運転が実施されることにより、空気調和機１００の周囲空気を、周囲温度に基づく湿度を有した清浄空気に維持することが可能となる。
【００８０】
[実施の形態４]
実施の形態４は、実施の形態１から３の変形例を示す。実施の形態４では、空気調和機１００が有する洗濯物を乾燥させるための特定の運転を実施するための特定モードについて説明する。図１１は、実施の形態４に係る特定のモードにおける処理フローチャートである。図１２は、実施の形態４に係るテーブルの一例を示す図である。図１１のフローチャートに従うプログラムは予めメモリ３３に格納されて、ＣＰＵ３１がメモリ３３からプログラムを読出すことにより、処理が実現される。また、図１２と図１３のテーブルは、空気調和機１００のメモリ３３に予め格納される。
【００８１】
図１１を参照して、操作部１８を介して特定モードの運転開始操作が受付けられると、ＣＰＵ３１は、温度センサ４０による検知温度に基づき目標湿度を決定し、湿度センサ４１の検知湿度が目標湿度となるように除湿運転を開始する（ステップＲ３）。除湿運転の開始から予め定められた時間が経過したこと、または検知湿度が目標湿度以下となったことが判断されたとき、ＣＰＵ３１は除湿運転を停止する（ステップＲ５）。
【００８２】
ＣＰＵ３１は、タイマ３２の出力する時間データと、メモリ３３に格納されている夏の時間帯（たとえば６月〜８月）データとを比較し、比較の結果に基づき、現在の季節は夏であるか否かを判断する（ステップＲ７）。夏ではないと判断されると（ステップＲ７でＮＯ）、ＣＰＵ３１は、上記の除湿運転を停止後に、予め定められた時間だけ加湿運転を実施する（ステップＲ９）。これにより、夏以外の比較的に空気が乾燥しがちな時期には、室内の洗濯物を除湿運転により乾燥後は、当該洗濯物に一定の湿度が付与されることとなって、洗濯物のしわのばしなどの効果を得ることができる。一方、夏ではないと判断されると（ステップＲ７でＹＥＳ）、上記の除湿運転を停止後の加湿運転（ステップＲ９）はパスされて、一連の処理は終了する。このように加湿運転がパスされるのは、夏は周囲空気の湿度が高いので、しわのばしのために洗濯物に特別に湿り気を付与せずともよいとの理由による。
【００８３】
このように、本実施の形態４では、洗濯物の乾燥などのための特定モードにおいても、実施の形態１〜３と同様に除湿運転後に加湿運転が実施される。ただし、運転時期が夏であると判断されたときにのみ除湿運転後の加湿運転が実施される。したがって、空気中の湿気が比較的に多い夏場には加湿運転が実施されないことで周囲空気の過度の湿度上昇を回避することができる。また、夏以外の比較的に湿度が低い時期には除湿運転後の加湿運転が実施されることで、周囲空気の湿度を過度に上昇させることなく上記に述べた洗濯物のしわのばし効果を得ることができる。
【００８４】
なお、上記の除湿運転（ステップＲ３）および加湿運転（ステップＲ９）においても目標湿度が設定される。ＣＰＵ３１は、除湿運転の開始時には、温度センサ４０の検知温度に基づき図１２のテーブルを検索して目標湿度を読出す。また、加湿運転の開始時には、温度センサ４０の検知温度に基づき図１３のテーブルを検索して、目標湿度を読出す。これにより、特定モードにおける除湿運転と加湿運転のそれぞれについても、空気調和機１００の周囲空気の条件に従い目標湿度を決定することができる。
【００８５】
上記に述べた各実施の形態は、いずれも周囲空気の調湿のための構成を開示しており、これらは個別に実施されてもよく、または２つ以上を組み合わせて実施されてもよい。
【００８６】
[実施の形態の構成]
上記の各実施の形態に開示した空気調和機の構成について説明する。
【００８７】
（１）空気調和機（１００）は、空気を加湿し、加湿された空気を外部へ送出する加湿部（加湿ロータ５、ヒータ等）と、空気を除湿し、除湿された空気を外部へ送出する除湿部（熱交換器９）と、除湿部および加湿部に送風する送風機（両翼ファン８Ｃ）と、空気調和機を制御する制御部（ＣＰＵ３１）と、を備える。
【００８８】
制御部は、送風機により送風しながら加湿部を駆動させる加湿運転、および送風機により送風しながら除湿部を駆動させる除湿運転のうちの一方の運転を開始後に、当該一方の運転を停止する場合に、送風機による送風運転を行い、その後に加湿運転および除湿運転のうちの他方を行なうように構成される（図６参照）。
【００８９】
これにより、送風運転により適宜周囲空気をかき混ぜて周囲湿度を均一化しながら加湿運転または除湿運転を実施することができる。したがって、周囲湿度の調湿を速やかに達成することができる。
【００９０】
（２）空気調和機は、空気を清浄するための空気清浄部（イオン発生部３８）を、さらに備え、送風機は、さらに空気清浄部に送風し、制御部は、空気清浄部を駆動させながら送風運転を行うよう構成される。
【００９１】
これにより、送風運転時に、空気清浄化も実施することができる。
（３）空気調和機は、空気調和機の周囲の湿度を検知する湿度センサ４１を、さらに備え、制御部は、一方の運転を開始する前に検知される湿度である開始時湿度が、周囲の湿度を調湿するための目標湿度以上であるとき、一方の運転として除湿運転を開始し、検知される湿度が目標湿度未満であるとき一方の運転として加湿運転を開始するよう構成される。
【００９２】
したがって、目標湿度の基づき周囲空気の調湿の状況を判断しながら、加湿または除湿の運転を切替え実施することができる。
【００９３】
（４）上記の制御部は、予め定められた時間（３０秒間）、送風機による送風運転を行い、当該予め定められた時間において湿度センサにより検知される湿度を開始時湿度と決定するように構成される。
【００９４】
したがって、周囲空気を送風運転によりかき混ぜて湿度を均一化した後に、湿度を検知して開始時湿度を決定することができる。
【００９５】
（５）制御部は、一方の運転が停止後に送風機による送風運転が開始される場合に、当該送風運転中に、湿度センサ４１による検知湿度と目標湿度との差が第１閾値以上（目標湿度との差が５％以上）となった場合は、当該送風運転を停止し、他方の運転を開始するよう構成される。
【００９６】
したがって、周囲湿度を“目標湿度に近い湿度”を維持できず湿度が低下する、または上昇する場合には、調湿のための現在の運転（除湿運転および加湿運転の一方）とは異なる他方の運転が実施される。これにより、調湿を促進することができる。
【００９７】
（６）制御部は、一方の運転が停止後に送風機による送風運転が開始されてから予め定められた時間（３時間）が経過した場合に、湿度センサにより検知される検知湿度と目標湿度との差が第２閾値（目標湿度との差が１〜４％）の範囲内であるときは、当該送風運転を停止し、他方の運転を開始するよう構成される。これにより、調湿を促進することができる。
【００９８】
（７）制御部は、目標湿度を、空気調和機の周囲湿度に基づき決定するように構成される。したがって、調湿のための運転を、周囲湿度に基づく目標温度に従い実施することができる。
【００９９】
（８）空気調和機は、空気調和機の周囲の明るさを検知する明るさセンサ（照度センサ２０）を、さらに備え、制御部は、検知される明るさと周囲湿度とに基づき、目標湿度を決定するように構成される。したがって、周囲の明るさの別（例えば、就寝時または日中）に基づき、目標湿度を可変に決定できる。
【０１００】
（９）制御部は、検知される明るさ、周囲湿度、および空気調和機の周囲温度に基づき、目標湿度を決定するように構成される。したがって、周囲の明るさと周囲の温度に基づき、目標湿度を可変に決定できる。
【０１０１】
（１０）空気調和機は、空気調和機の周囲の明るさを検知する明るさセンサを、さらに備え、制御部は、検知される明るさが第１明るさレベルを示すときは、送風運転による送風風量を第１の値に決定し、検知される明るさが第１の明るさよりも暗い第２の明るさレベルを示すときは、送風風量を第１の値とは異なる第２の値に決定するように構成される。したがって、周囲の明るさの別に基づき、暗いとき（就寝時等）は、明るい時（日中）よりも送風風量を少なくできて、送風音により睡眠が妨げられるのを防止できる。
【０１０２】
（１１）空気調和機は、さらに空気調和機の周囲空気の汚れ度を検知する汚れ度センサ（臭いセンサ３９）を備え、制御部は、汚れ度センサにより検知される汚れ度に基づき、送風運転による送風量を可変に決定するように構成される。したがって、送風により周囲空気のかき混ぜて汚れを緩和しつつ、調湿のための加湿または除湿の運転を実施することができる。
【０１０３】
（１２）空気調和機は、送風するための吹き出し口（１２Ａ）と、吹き出し口に設けられて、風向きを調整するために傾きが可変であるルーバ（吹出ルーバ１２Ｃ）と、をさらに備え、送風運転時は、ルーバの傾きを予め定められた角度（例えば２０度）に固定する。これにより、送風運転時は、予め定められた角度に従う気流を発生させながら、周囲空気をかき混ぜることができる。なお、この角度は、天井から側壁へと向かう気流を生成するための角度であることが望ましい。
【０１０４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１０５】
５  加湿ロータ、８  送風装置、９  熱交換器、１０  給水タンク、１１Ｃ  吸込口、１２Ａ，１２Ｂ  吹出口、１２Ｃ  吹出ルーバ、１３  除湿タンク、１７  出力部、１８  操作部、１８Ａ  おまかせ自動ボタン、１８Ｂ  運転ボタン、２０  照度センサ、３０  コントローラ、３２  タイマ、３３  メモリ、３４  加湿駆動部、３５  ファン駆動部、３６  除湿駆動部、３７  ルーバ駆動部、３８  イオン発生部、３９  臭いセンサ、４０  温度センサ、４１  湿度センサ、４２  センサ部、１００  空気調和機。
【図１】
2017058099.tif 000003
【図２】
2017058099.tif 000004
【図３】
2017058099.tif 000005
【図４】
2017058099.tif 000006
【図５】
2017058099.tif 000007
【図６】
2017058099.tif 000008
【図７】
2017058099.tif 000009
【図８】
2017058099.tif 000010
【図９】
2017058099.tif 000011
【図１０】
2017058099.tif 000012
【図１１】
2017058099.tif 000013
【図１２】
2017058099.tif 000014
【図１３】
2017058099.tif 000015